(57)【要約】      （修正有）【課題】対象害虫を効率的に誘引することで、対象害虫の捕獲・駆除確率を向上し、農作物の生産量を増大させる捕虫器を提供する。【解決手段】虫に対して走光性を生じさせる光を放射する光源２００と、光源２００の鉛直下方に配され、光源２００から発せられた光を鉛直上方に反射するすり鉢状反射部１６０と、すり鉢状反射部１６０の鉛直下方に配され、すり鉢状反射部１６０から延在する円筒部１７０と、すり鉢状反射部１６０から円筒部１７０内に吸引する気流を発生させるファン１９０と、ファン１９０の鉛直下方に配され、虫を捕獲する捕獲ネット３１０と、からなり、光源２００は放射波長が５６０ｎｍ付近又は５６５ｎｍ付近に最大放射ピークを有し、すり鉢状反射部１６０はマンセル表色系で色相が１０ＹＲ〜１０Ｙの範囲内の同系色の塗膜を有し、すり鉢状反射部１６０における虫の吸引空間には、目合いが５ｍｍ未満のメッシュ１４０が配された捕虫器。【選択図】図１
2020195403.tif 000002
【特許請求の範囲】
【請求項１】
虫に対して走光性を生じさせる光を放射する光源と、
前記光源の鉛直下方に配され、前記光源から発せられた光を鉛直上方に反射するすり鉢状反射部と、
前記すり鉢状反射部の鉛直下方に配され、前記すり鉢状反射部から延在する円筒部と、
前記すり鉢状反射部から前記円筒部内に吸引する気流を発生させるファンと、
前記ファンの鉛直下方に配され、虫を捕獲するネットと、からなる捕虫器であって、
前記光源は放射波長が５６０ｎｍ付近又は５６５ｎｍ付近に最大放射ピークを有し、
前記すり鉢状反射部はマンセル表色系で色相が１０ＹＲ〜１０Ｙの範囲内の同系色の塗膜を有し、
前記すり鉢状反射部における虫の吸引空間には、目合いが５ｍｍ未満のメッシュが配されることを特徴とする捕虫器。
【請求項２】
虫に対して走光性を生じさせる光を放射する光源と、
前記光源の鉛直下方に配され、前記光源から発せられた光を鉛直上方に反射するすり鉢状反射部と、
前記すり鉢状反射部の鉛直下方に配され、前記すり鉢状反射部から延在する円筒部と、
前記すり鉢状反射部から前記円筒部内に吸引する気流を発生させるファンと、
前記ファンの鉛直下方に配され、虫を捕獲するネットと、からなる捕虫器であって、
前記光源は放射波長で５００ｎｍ付近から６５０ｎｍ付近に２つの局所的な放射ピークを有し、
前記すり鉢状反射部はマンセル表色系で色相が１０ＹＲ〜１０Ｙの範囲内の同系色の塗膜を有し、
前記すり鉢状反射部における虫の吸引空間には、目合いが５ｍｍ未満のメッシュが配されることを特徴とする捕虫器。
【請求項３】
虫に対して走光性を生じさせる光を放射する光源と、
前記光源の鉛直下方に配され、前記光源から発せられた光を鉛直上方に反射するすり鉢状反射部と、
前記すり鉢状反射部の鉛直下方に配され、前記すり鉢状反射部から延在する円筒部と、
前記すり鉢状反射部から前記円筒部内に吸引する気流を発生させるファンと、
前記ファンの鉛直下方に配され、虫を捕獲するネットと、からなる捕虫器であって、
前記光源は放射波長が５４５ｎｍ付近、及び、５７５ｎｍ付近に２つの局所的な放射ピークを有し、
前記すり鉢状反射部はマンセル表色系で色相が１０ＹＲ〜１０Ｙの範囲内の同系色の塗膜を有し、
前記すり鉢状反射部における虫の吸引空間には、目合いが５ｍｍ未満のメッシュが配されることを特徴とする捕虫器。
【請求項４】
虫に対して走光性を生じさせる光を放射する光源と、
前記光源の鉛直下方に配され、前記光源から発せられた光を鉛直上方に反射するすり鉢状反射部と、
前記すり鉢状反射部の鉛直下方に配され、前記すり鉢状反射部から延在する円筒部と、
前記すり鉢状反射部から前記円筒部内に吸引する気流を発生させるファンと、
前記ファンの鉛直下方に配され、虫を捕獲するネットと、からなる捕虫器であって、
前記光源は放射波長が５４５ｎｍ付近、５６５ｎｍ付近及び５７５ｎｍ付近に３つの局所的な放射ピークを有し、
前記すり鉢状反射部はマンセル表色系で色相が１０ＹＲ〜１０Ｙの範囲内の同系色の塗膜を有し、
前記すり鉢状反射部における虫の吸引空間には、目合いが５ｍｍ未満のメッシュが配されることを特徴とする捕虫器。
【請求項５】
前記光源は、塗膜を施した蛍光灯からなることを特徴とする請求項１乃至請求項４のいずれか１項に記載の捕虫器。
【請求項６】
前記光源は、ＬＥＤ素子からなることを特徴とする請求項１乃至請求項４のいずれか１項に記載の捕虫器。
【請求項７】
放射波長が５６５ｎｍ付近に最大放射ピークを有する補助光源をさらに有することを特徴とする請求項１乃至請求項６のいずれか１項に記載の捕虫器。
【請求項８】
前記補助光源は、ＬＥＤ素子からなることを特徴とする請求項７に記載の捕虫器。
【発明の詳細な説明】
【技術分野】
【０００１】
本発明は、農園において害虫による栽培作物の食害を減らすために、これを誘引して駆除する捕虫器に関する。
【背景技術】
【０００２】
農園における害虫防除としては第１に殺虫剤散布があるが、虫が殺虫剤抵抗性を備えるようになっており、その効果は近年著しく低下し、殺虫剤一辺倒の害虫の防除体系を改める必要がある。
【０００３】
そこで、光でこれらの害虫を誘引し捕獲して防除する方法も、害虫防除対策の一つとして最近注目されるようになってきた。このような害虫防除方法においては、従来、誘引光源として青色蛍光灯がある。このような青色蛍光灯の放射波長域は、３００ｎｍから５５０ｎｍで、主に夜行性昆虫に対して正の走光性を生じさせることで、虫を誘引して捕獲する。
【０００４】
上記のような青色蛍光灯を用いた害虫防除対策として、例えば、特許文献１（特開２０００−４９号公報）には、波長３００〜６００ｎｍの光源と、前記光源の周囲に配設した害虫光誘引トラップと、前記光源により励起される光触媒を担持した光触媒担持成形物を前記害虫光誘引トラップに近接して設けたことを特徴とする害虫捕獲衛生環境維持装置が開示されている。
【特許文献１】特開２０００−４９号公報
【発明の概要】
【発明が解決しようとする課題】
【０００５】
トマト、トルコキキョウなどの黄化葉巻病、メロン、キュウリなどのウリ科の退緑黄化病の原因となるタバココナジラミ、或いは、ウリ科、キク科の黄化えそ病の原因となるミナミキイロアザミウマなどは、４５０ｎｍ以上の長波長域の光に誘引されるので、主に夜行性昆虫を誘引する青色蛍光灯を光源として用いた場合、必ずしも対象害虫の誘引効率が良くなく、捕獲・駆除される確率が低下し、大きな捕虫漏れが発生してしまう、という問題があった。
【０００６】
前記した黄化葉巻病、退緑黄化病、黄化えそ病などは、害虫を媒介して、農作物に伝染するので、害虫の捕獲・駆除確率が低下すると、農作物の生産量に対して多大な悪影響を及ぼしてしまい、問題であった。
【課題を解決するための手段】
【０００７】
本発明は、上記のような問題を解決するために、コナジラミ類、アザミウマ類、アブラムシ類（有翅）、ハモグリバエ類、ハエ類を効率的に誘引する光源を用いた捕虫器を提供するものである。
【０００８】
このために、本発明に係る捕虫器は、虫に対して走光性を生じさせる光を放射する光源と、前記光源の鉛直下方に配され、前記光源から発せられた光を鉛直上方に反射するすり鉢状反射部と、前記すり鉢状反射部の鉛直下方に配され、前記すり鉢状反射部から延在する円筒部と、前記すり鉢状反射部から前記円筒部内に吸引する気流を発生させるファンと、前記ファンの鉛直下方に配され、虫を捕獲するネットと、からなる捕虫器であって、前記光源は放射波長が５６０ｎｍ付近又は５６５ｎｍ付近に最大放射ピークを有し、前記すり鉢状反射部はマンセル表色系で色相が１０ＹＲ〜１０Ｙの範囲内の同系色の塗膜を有し、前記すり鉢状反射部における虫の吸引空間には、目合いが５ｍｍ未満のメッシュが配されることを特徴とする。
【０００９】
また、本発明に係る捕虫器は、虫に対して走光性を生じさせる光を放射する光源と、前記光源の鉛直下方に配され、前記光源から発せられた光を鉛直上方に反射するすり鉢状反射部と、前記すり鉢状反射部の鉛直下方に配され、前記すり鉢状反射部から延在する円筒部と、前記すり鉢状反射部から前記円筒部内に吸引する気流を発生させるファンと、前記ファンの鉛直下方に配され、虫を捕獲するネットと、からなる捕虫器であって、前記光源は放射波長で５００ｎｍ付近から６５０ｎｍ付近に２つの局所的な放射ピークを有し、前記すり鉢状反射部はマンセル表色系で色相が１０ＹＲ〜１０Ｙの範囲内の同系色の塗膜を有し、前記すり鉢状反射部における虫の吸引空間には、目合いが５ｍｍ未満のメッシュが配されることを特徴とする。
【００１０】
また、本発明に係る捕虫器は、虫に対して走光性を生じさせる光を放射する光源と、前記光源の鉛直下方に配され、前記光源から発せられた光を鉛直上方に反射するすり鉢状反射部と、前記すり鉢状反射部の鉛直下方に配され、前記すり鉢状反射部から延在する円筒部と、前記すり鉢状反射部から前記円筒部内に吸引する気流を発生させるファンと、前記ファンの鉛直下方に配され、虫を捕獲するネットと、からなる捕虫器であって、前記光源は放射波長が５４５ｎｍ付近、及び、５７５ｎｍ付近に２つの局所的な放射ピークを有し、前記すり鉢状反射部はマンセル表色系で色相が１０ＹＲ〜１０Ｙの範囲内の同系色の塗膜を有し、前記すり鉢状反射部における虫の吸引空間には、目合いが５ｍｍ未満のメッシュが配されることを特徴とする。
【００１１】
また、本発明に係る捕虫器は、虫に対して走光性を生じさせる光を放射する光源と、前記光源の鉛直下方に配され、前記光源から発せられた光を鉛直上方に反射するすり鉢状反射部と、前記すり鉢状反射部の鉛直下方に配され、前記すり鉢状反射部から延在する円筒部と、前記すり鉢状反射部から前記円筒部内に吸引する気流を発生させるファンと、前記ファンの鉛直下方に配され、虫を捕獲するネットと、からなる捕虫器であって、前記光源は放射波長が５４５ｎｍ付近、５６５ｎｍ付近及び５７５ｎｍ付近に３つの局所的な放射ピークを有し、前記すり鉢状反射部はマンセル表色系で色相が１０ＹＲ〜１０Ｙの範囲内の同系色の塗膜を有し、前記すり鉢状反射部における虫の吸引空間には、目合いが５ｍｍ未満のメッシュが配されることを特徴とする。
【００１２】
また、本発明に係る捕虫器は、前記光源は、塗膜を施した蛍光灯からなることを特徴とする。
【００１３】
また、本発明に係る捕虫器は、前記光源は、ＬＥＤ素子からなることを特徴とする。
【００１４】
また、本発明に係る捕虫器は、放射波長が５６５ｎｍ付近に最大放射ピークを有する補助光源をさらに有することを特徴とする。
【００１５】
また、本発明に係る捕虫器は、前記補助光源は、ＬＥＤ素子からなることを特徴とする。
【発明の効果】
【００１６】
本発明に係る捕虫器は、コナジラミ類、アザミウマ類、アブラムシ類（有翅）、ハモグリバエ類、ハエ類などの対象害虫を、４５０ｎｍ以上の長波長域の光源、より詳細には、５６０ｎｍ付近又は５６６ｎ付近に最大放射ピークを有する光源で誘引し、捕虫する。さらに、本発明に係る捕虫器は、マンセル表色系で色相が１０ＹＲ〜１０Ｙの範囲内の同系色の塗膜を有するすり鉢状反射部を備えており、光源との相乗効果により、対象害虫を効率的に誘引することで、対象害虫の捕獲・駆除確率を向上し、農作物の生産量を増大させることができる。
【図面の簡単な説明】
【００１７】
【図１】本発明の第１実施形態に係る捕虫器１００の概要を説明する図である。
【図２】すり鉢状反射部１６０と円錐状部１５０の間の吸引空間に配されるメッシュ１４０を抜き出して示す図である。
【図３】本発明の第１実施形態に係る光源２００の効果を検証するための構成を説明する図である。
【図４】本発明の第２実施形態に係る捕虫器１００の概要を説明する図である。
【図５】本発明の第２実施形態に係る捕虫器１００における配置関係を説明する図である。
【図６】本発明の第３実施形態に係る捕虫器１００の概要を説明する図である。
【図７】本発明の第３実施形態に係る補助光源２２０の効果を検証するための構成を説明する図である。
【図８】本発明の第４実施形態に係る捕虫器１００に用いる光源２００の構成を説明する図である。
【図９】本発明の第４実施形態に係る捕虫器１００に用いる光源２００の分光特性図である。
【図１０】本発明の第５実施形態に捕虫器１００に用いる係る光源２００の分光特性図である。
【図１１】本発明の第６実施形態に捕虫器１００に用いる係る光源２００の分光特性図である。
【図１２】本発明に係る捕虫器１００に用いる係る光源２００及び補助光源２２０の分光特性の模式図である。
【発明を実施するための形態】
【００１８】
以下、本発明の実施の形態を図面を参照しつつ説明する。図１は本発明の第１実施形態に係る捕虫器１００の概要を説明する図である。
【００１９】
本発明に係る光源２００は、コナジラミ類、アザミウマ類、アブラムシ類（有翅）、ハモグリバエ類、ハエ類などの対象害虫に対して、基本的に正の走光性を生じさせることで、誘引することを想定している。しかしながら、一方で、当該光源２００は他の種類の虫（例えば、夜蛾類、カメムシ類など）に対して負の走光性を生じさせることもある。
【００２０】
光源２００を用いた捕虫器１００は、例えば、吊下線１１０によりこれを吊り下げることで利用することが想定されるものである。捕虫器１００の主要構成は、吊下線１１０が通る仮想軸ＯＯ’を中心として、略対称な構成となっている。例えば、光源２００は略ドーナツ状の形態をなすものである。
【００２１】
吊下線１１０は、円錐状部１５０を吊り下げるようになっている。円錐状部１５０の周面の上側３箇所からは、固定金具１５１が該周面から延出するように設けられており、３つの固定金具１５１により光源２００が支持されるようになっている。
【００２２】
なお、円錐状部１５０の周面に設ける固定金具１５１の数は、上記のように３つに限定されるものではない。
【００２３】
上記の光源２００は、不図示の安定器により発光する蛍光管（白色の蛍光灯；色温度４２００Ｋ）の管表面に塗膜が形成されたものである。光源２００は発光すると、対象害虫を誘引する光源として機能する。なお、本実施形態においては、光源２００として環状の蛍光灯を用いたが、直管、ツイン蛍光灯なども用いることもできる。
【００２４】
蛍光管の管表面の塗膜は光学フィルタとして機能し、５００ｎｍ付近より短波長の放射光を遮断し、それより長波長域の放射光を効率よく透過するようにしている。水酸基含有アクリル樹脂とベンズイミダゾロンの混合物、エポキシ樹脂、クリヤー、硬化剤（イソシアネート化合物）、シンナーの混合物が、蛍光管に塗布されることで、このような塗膜が形成される。
【００２５】
上記のような塗膜が施されてなる光源２００は、放射波長が５４５ｎｍ付近、及び、５７５ｎｍ付近の２つに局所的な放射ピークを有するものが好ましいが、光源２００は放射波長で５００ｎｍ付近から６５０ｎｍ付近に２つの局所的な放射ピークを有するものであってもよい。
【００２６】
５４５ｎｍ付近の放射強度をＡとし、５７５ｎｍ付近の放射強度をＢとしたとき、本発明に係る光源２００においては、比率Ａ／Ｂが、０．７＜Ａ／Ｂ＜１．７の関係を有することが好ましい。
【００２７】
本発明に係る光源２００としては、１．０＜Ａ／Ｂ＜１．５の関係を有することがより好ましい。さらに、本発明に係る光源２００としては、１．１＜Ａ／Ｂ＜１．４の関係を有することがさらにより好ましい。
【００２８】
上記のように、放射波長が５４５ｎｍ付近、及び、５７５ｎｍ付近の２つに局所的な放射ピークを有する光源２００によれば、コナジラミ類、アザミウマ類、アブラムシ類（有翅）、ハモグリバエ類、ハエ類を効率的に誘引することができる。
【００２９】
捕虫器１００において、円錐状部１５０の底部における３箇所からは、不図示の支持棹が延出しており、これらの支持棹ですり鉢状反射部１６０と円錐状部１５０が連結されるようになっている。また、すり鉢状反射部１６０の底部からは鉛直下方に円筒部１７０が延在している。
【００３０】
円錐状部１５０の底部とすり鉢状反射部１６０との間における、支持棹以外の空間（吸引空間）は間隙となっており、この間隙から害虫を吸引したり、光源２００からの光が下方側に進入したりすることができるようになっている。
【００３１】
すり鉢状反射部１６０と円錐状部１５０との間の隙間である吸引空間には、目合いが５ｍｍ未満の格子状部材が配されている。このような格子状部材として、本実施形態では、円錐状部１５０の外周縁に沿った穴部１４５が形成されたメッシュ１４０が用いられる。図２はすり鉢状反射部１６０と円錐状部１５０の間の吸引空間に配されるメッシュ１４０を抜き出して示す図である。
【００３２】
作物の交配にミツバチやマルハナバチが用いられる場合、仮にメッシュ１４０が設けられていないと、ミツバチやマルハナバチが吸引空間から捕獲ネット３１０で捕獲されてしまうこととなり、作物の交配に影響を及ぼしてしまう可能性がある。本発明に係る捕虫器１００では、吸引空間にメッシュ１４０を配し、かつ、その目合いは５ｍｍ未満とすることで、対象害虫より体長が大きいハチが吸引空間を通過し、捕獲ネット３１０で捕獲されることを防ぐようにしている。すなわち、当該メッシュ１４０をハチの保護用網として機能する。
【００３３】
すり鉢状反射部１６０、円錐状部１５０、円筒部１７などは鉄やステンレスなどの材料を用いて構成する。さらに、これらの各部材には耐候性を有する塗料を塗膜することが好ましい。
【００３４】
また、メッシュ１４０も、マンセル表色系で色相が１０ＹＲ〜１０Ｙの範囲内の同系色の発色を有するものが好ましい。
【００３５】
特に、すり鉢状反射部１６０、円錐状部１５０には、マンセル表色系で色相が１０ＹＲ〜１０Ｙの範囲内の同系色の塗膜を施すことが好ましい。マンセル表色系で色相が１０ＹＲ〜１０Ｙの範囲内の同系色は、感覚的にはオレンジ・黄色の中間色〜黄色に相当するものである。
【００３６】
本発明に係る捕虫器１００においては、コナジラミ類、アザミウマ類、アブラムシ類（有翅）、ハモグリバエ類、ハエ類などの対象害虫を、４５０ｎｍ以上の長波長域の光源２００、より詳細には、放射波長が５４５ｎｍ付近、及び、５７５ｎｍ付近の２つに局所的な放射ピークを有する光源２００で誘引し、捕虫する。さらに、本発明に係る捕虫器１００は、マンセル表色系で色相が１０ＹＲ〜１０Ｙの範囲内の同系色の塗膜を有するすり鉢状反射部１６０、円錐状部１５０を備えており、光源２００との相乗効果により、対象害虫を効率的に誘引することで、対象害虫の捕獲・駆除確率を向上し、農作物の生産量を増大させる。
【００３７】
円筒部１７０内においては、不図示のモーターにより回転駆動するファン１９０が設けられている。上記のファン１９０が回転することで、円錐状部１５０とすり鉢状反射部１６０と間のメッシュ１４０の箇所において、すり鉢状反射部１６０内の鉛直下方に吸引する気流を発生させる。
【００３８】
ファン１９０によって発生される、すり鉢状反射部１６０の開口から円筒部１７０内に吸引する気流によって、光源２００で誘引された害虫は、円筒部１７０を介して捕獲ネット３１０へと導かれる。
【００３９】
光源２００が発光することで、光源２００の鉛直下方に配されている円錐状部１５０の斜線部が反射面として機能することによって、反射光ｒ1が形成されるようになっている。
【００４０】
また、光源２００が発光することで、光源２００の鉛直下方に配されているすり鉢状反射部１６０の内面部が反射面として機能することによって、反射光ｒ2が形成されるようになっている。
【００４１】
また、光源２００が発光することで、円筒部１７０の下方からの照射光ｔが形成されるようになっている。照射光ｔによりすり鉢状反射部１６０の下方のエリアにいる害虫も誘引光源によって誘引され、ファン１９０で発生する気流により吸引され捕獲される。
【００４２】
また、光源２００の発光と共に、すり鉢状反射部１６０、円錐状部１５０におけるマンセル表色系で色相が１０ＹＲ〜１０Ｙの範囲内の同系色の塗膜により、相乗効果で対象害虫を効率的に誘引することできる。
【００４３】
このように、本発明に係る捕虫器１００によれば、透明長尺円筒部１８０を介して下方側のエリアにも、光源２００からの光が到達するので、当該エリアにいる害虫が光源２００によって誘引されて、捕獲・駆除されるので、害虫の駆除確率をより高めることが可能となり、害虫による果樹、野菜、作物への被害を抑制することができるようになる。
【００４４】
また、照射光ｔは日照時間の増加と同様の作用を作物に与えるために、作物の生産量増加にも寄与し得るものである。
【００４５】
なお、本実施形態においては、光源２００は略ドーナツ状の形態をなすものとして説明しているが、本発明に係る捕虫器１００においては、光源の形状がこれに限定されるものではない。
【００４６】
本発明に係る捕虫器１００においては、捕獲ネット３１０の網目（の目合い）が０．１ｍｍ〜０．３ｍｍ程度のものを用いるのがよい。或いは、捕獲ネット３１０の網目（の目合い）が異なるものを二重にして用いるようにすることもできる。
【００４７】
なお、アザミウマ類を、捕獲する捕獲ネット３１０の網目（の目合い）は０．１３ｍｍとすることが好ましい。また、アザミウマ類以外の虫には、捕獲ネット３１０の網目（の目合い）は０．２ｍｍ×０．４ｍｍ程度とすることが好ましい。
【００４８】
例えば、捕獲ネット３１０としては、網目（の目合い）が０．１ｍｍ〜０．３ｍｍ程度のものと、網目（の目合い）が５ｍｍ程度のものを二重にすることも好適な実施形態である。比較的大型の昆虫が捕獲されてしまったような場合でも、目が粗い箇所が当該昆虫に食い破られ穴ができことはないので、捕獲した害虫が前記ネットから逃げてしまうことがなく、害虫の駆除確率をより高めることが可能となり、害虫による果樹、野菜、作物への被害を抑制することができる。
【００４９】
本実施形態においては、捕虫器１００を吊下線１１０により吊り下げて、仮想軸ＯＯ’が鉛直方向と平行となる設置形態で説明したが、果樹、野菜、作物の種類によっては、捕虫器１００の仮想軸ＯＯ’が水平と平行となるように、捕虫器１００を設置する形態で利用することもできる。
【００５０】
以下、本発明の実施形態に係る光源２００の効果を検証したので、これについて説明する。図３は本発明の第１実施形態に係る光源２００の効果を検証するための構成を説明する図である。
【００５１】
図３に示す構成により光源２００における放射強度の最適な比率が検証された。
【００５２】
図３においては、光源２００から３ｍの距離で上方１ｍの場所にオンシツコナジラミの成虫を２００匹入れた容器が設置された。当該容器の一面には、虫が自由に出入りすることができるメッシュ材が配された。オンシツコナジラミは予め飼育されたものが用いられた。
【００５３】
当該一面は光源側に向いており、オンシツコナジラミは光源２００側のみから飛翔できるようにされている。光源２００に近づいたオンシツコナジラミは、捕虫器１００で吸引し、捕獲ネット３１０に取り込む。前記の容器及び捕虫器１００を設置してから４時間後の捕虫数を調べた。実験は２５℃の暗室で行った。この結果を表１に示す。
【００５４】
【表１】
2020195403.tif 000003
表１に示すように５４５ｎｍ付近の放射強度をＡとし、５７５ｎｍ付近の放射強度をＢとしたとき、比率Ａ／Ｂが１．２であるときの捕虫数が最も高かったので、Ａ／Ｂ＝１．２における捕虫数を１として規格化を行った。
【００５５】
本発明に係る光源２００においては、表１を参照すると、比率Ａ／Ｂが０．７＜Ａ／Ｂ＜１．７の関係を有していれば、捕虫器１００による対象害虫の捕獲が可能であることがわかる。
【００５６】
さらに、本発明に係る光源２００として、１．０＜Ａ／Ｂ＜１．５の関係を有すると、Ａ／Ｂ＝１．２における捕虫数の８割以上の捕虫数を実現できる。
【００５７】
さらに、本発明に係る光源２００として、１．１＜Ａ／Ｂ＜１．４の関係を有すると、Ａ／Ｂ＝１．２における捕虫数の９割以上の捕虫数を実現できる。
【００５８】
以上、本発明に係る捕虫器１００は、コナジラミ類、アザミウマ類、アブラムシ類（有翅）、ハモグリバエ類、ハエ類などの対象害虫を、４５０ｎｍ以上の長波長域の光源、より詳細には、放射波長が５４５ｎｍ付近、及び、５７５ｎｍ付近の２つに局所的な放射ピークを有する光源で誘引し、捕虫する。さらに、本発明に係る捕虫器１００は、マンセル表色系で色相が１０ＹＲ〜１０Ｙの範囲内の同系色の塗膜を有するすり鉢状反射部１６０、円錐状部１５０を備えており、光源との相乗効果により、対象害虫を効率的に誘引することで、対象害虫の捕獲・駆除確率を向上し、農作物の生産量を増大させることができる。
【００５９】
次に、本発明の他の実施形態について説明する。図４は本発明の第２実施形態に係る捕虫器１００の概要を説明する図である。
【００６０】
捕虫器１００を夜間に使用する際、作物への光の照射を抑制する必要がある作物がある。例えば、キク、或いはイチゴといった作物では、夜間における捕虫器１００の光源２００の点灯による、特に花芽分化への影響が多大である。
【００６１】
そこで、第２実施形態に係る捕虫器１００では、捕虫器１００下方側への光源２００からの光の漏洩を極力抑制するように構成されている。
【００６２】
図５は図４の要部を抜き出して示す図であり、本発明の第２実施形態に係る捕虫器１００における配置関係を説明する図である。図５において、線Ａ−Ａ’は、すり鉢状反射部１６０の上方における開口端部を含む水平面に含まれる線を示している。線Ｂ−Ｂ’は、光源２００における鉛直方向の中間となる面が含まれる線を示している。
【００６３】
第２実施形態に係る捕虫器１００においては、線Ｂ−Ｂ’が、線Ａ−Ａ’より鉛直下方に配されるように設置されることを特徴としている。さらに、このような配置と共に、捕獲ネット３１０としては黒色のものを用いて捕獲ネット３１０で光を吸収し、捕虫器１００の下方側における作物への光の漏洩を極力抑制するようにされる。第２実施形態に係る捕虫器１００によれば、作物側における照度は１ｌｕｘ以下とすることができる。
【００６４】
このような第２実施形態に係る捕虫器１００は、第１実施形態で説明した効果に加え、捕虫器１００の夜間点灯の影響を受けやすいキクやイチゴといった作物にも有効に利用することが可能となる。
【００６５】
次に、本発明の他の実施形態について説明する。図６は本発明の第３実施形態に係る捕虫器１００の概要を説明する図である。第３実施形態に係捕虫器１００が、第１実施形態のものと相違する点は、光源として光源２００に加え、吊下線１１０の途中に補助光源２２０が配されている点である。
【００６６】
補助光源２２０は、第１実施形態で用いられていた光源２００とは種別が異なるものである。第１実施形態で用いられていた光源２００には、蛍光灯に所定の塗膜を施したものが用いられていた。一方、補助光源２２０にはＬＥＤ（Light  Emitting  Diode：発光ダイオード）素子が用いられる。
【００６７】
補助光源２２０は例えば、吊下線１１０の途中に配することが好ましいが、このような補助光源２２０を配する態様はこれに限定されるものではない。補助光源２２０には複数個のＬＥＤ素子２２３が用いられる。一般的にＬＥＤ素子２２３から出射される光は指向性を有する。指向性があると効率的な害虫の誘引ができないために、ＬＥＤ素子２２３から出射された光を拡散するための光拡散手段として、透明な光拡散樹脂２３が設けられている。本発明で用い得る光拡散手段は透明樹脂に限定されるものではなく、ガラスなどの導光材料も用いることができる。
【００６８】
第３実施形態に係る捕虫器１００に含まれる補助光源２２０は、前述したようにＬＥＤ素子２２３により構成されている。本発明に係る光源２００の補助光源２２０に用いるＬＥＤ素子２２３は、放射波長が５６５ｎｍ付近に最大放射ピークを有するものを用いることが好ましい。
【００６９】
上記のように、放射波長が５４５ｎｍ付近、及び、５７５ｎｍ付近の２つに局所的な放射ピークを有する光源２００と、放射波長が５６５ｎｍ付近に最大放射ピークを有する補助光源２２０と、からなる光源によれば、コナジラミ類、アザミウマ類、アブラムシ類（有翅）、ハモグリバエ類、ハエ類をより効率的に誘引することができる。
【００７０】
また、第３実施形態に係る捕虫器１００においては、捕獲ネット３１０は、第１捕獲ネット３３０と、この第１捕獲ネット３３０の外周を包囲する第２捕獲ネット３４０とからなっている。このように、捕獲ネット３１０を構成することは、本発明に係る捕虫器１００の全ての実施形態に適用することができる。第１捕獲ネット３３０の網目は、第２捕獲ネット３４０の網目と同じであることが好ましい。
【００７１】
本発明に係る捕虫器１００においては、虫が活動的に飛翔しない温度条件（１５℃〜２０℃）以下では稼働されない。捕虫器１００の稼働時に捕獲ネット３１０で捕獲された虫が、捕虫器１００の非稼働時に逃げ出さないようにするために、捕獲ネット３１０の上方が、第１捕獲ネット３３０と第２捕獲ネット３４０とで二重構造となっている、所謂返し構造が採用されることは好ましい。
【００７２】
次に、本発明の実施形態に係る光源２００に含まれる補助光源２２０の効果を検証したので、これについて説明する。図７は本発明の第３実施形態に係る補助光源２２０の効果を検証するための構成を説明する図である。
【００７３】
図７に示す検証では、補助光源２２０を模擬する、各種波長のＬＥＤ素子によりオンシツコナジラミの誘引効果を調査した。
【００７４】
平板に１２個のＬＥＤ素子２２３を固定し、その上に粘着スプレーを吹き付けた透明なラップを取り付ける。ＬＥＤ素子２２３に誘引されて、当該ラップに粘着し捕獲されたオンシツコナジラミの捕虫数を調べた。
【００７５】
ＬＥＤ素子２２３から３ｍの距離で上方１ｍの場所にオンシツコナジラミの成虫を２００匹入れた容器を設置した。当該容器の一面には、虫が自由に出入りすることができるメッシュ材が配された。オンシツコナジラミは予め飼育されたものが用いられた。
当該一面は光源側に向いており、オンシツコナジラミは光源側のみから飛翔できるようにされている。
【００７６】
光源側に飛来したオンシツコナジラミは、前記の粘着スプレー由来の粘着材にトラップされる。前記の容器及び光源を設置してから４時間後の捕虫数を調べた。実験は２５℃の暗室で行った。この結果を表２に示す。
【００７７】
【表２】
2020195403.tif 000004
表２に示すように補助光源２２０のピーク波長が５６５ｎｍであるときに、捕虫数が最も高かった。このときの捕虫数を１として規格化を行った。
【００７８】
本発明に係る補助光源２２０としては、表２の結果が示すように、補助光源２２０のピーク波長が５６５ｎｍであるものを用いたときが最善の実施形態となる。
【００７９】
なお、本明細書の説明で、例えば、補助光源２２０のピーク波長を、ピンポイント的に５６５ｎｍとして言及する場合は、その波長の±１５ｎｍ程度のずれも含まれるものとする。すなわち、表２によれば、補助光源２２０としては、放射波長が５６５ｎｍ付近（５６５ｎｍ±１５ｎｍ）に最大放射ピークを有するときに、捕虫数が最も高かったものと言い換えることもできる。本明細書では、上記のように、波長の範囲を、指定した波長とその波長の±１５ｎｍの範囲で規定しているが、このように範囲をもって波長を規定する理由は、同じ種類の虫であっても、地域等による多様性があり、光源の波長に対する補虫効果には例えば地域差が発生するからである。
【００８０】
また、表２によれば、本発明に係る補助光源２２０として、補助光源２２０のピーク波長が５２５ｎｍ〜６１２ｎｍであるものを用いたときも十分な捕虫効果を期待することができる。
【００８１】
また、表２に示されるデータは、本発明において主として用いる光源である光源２００を設計する際にも用いることができ、光源２００にもピーク波長が５２５ｎｍ〜６１２ｎｍであるものを用いることも好ましい。
【００８２】
以上、本発明に係る光源２００、及びそのような光源２００を用いた捕虫器１００は、コナジラミ類、アザミウマ類、アブラムシ類（有翅）、ハモグリバエ類、ハエ類などの対象害虫を４５０ｎｍ以上の長波長域の光で効率的に誘引し、捕虫する。
【００８３】
そして、このような本発明に係る光源２００、及びそのような光源２００を用いた捕虫器１００によれば、対象害虫を効率的に誘引することで、対象害虫の捕獲・駆除確率を向上し、農作物の生産量を増大させることができる。
【００８４】
第３実施形態に係る捕虫器１００は、放射波長が５４５ｎｍ付近、及び、５７５ｎｍ付近の２つに局所的な放射ピークを有する光源２００に加え、放射波長が５６５ｎｍ付近に最大放射ピークを有する補助光源２２０を用いることで、コナジラミ類、アザミウマ類、アブラムシ類（有翅）、ハモグリバエ類、ハエ類などの対象害虫をより効率的に誘引することで、対象害虫の捕獲・駆除確率を向上し、農作物の生産量をされに増大させることができる。
【００８５】
次に、本発明の他の実施形態について説明する。これまで説明してきた実施形態では、光源２００には、蛍光灯に所定の塗膜を施したものが用いられていた。本発明の第４実施形態に係る捕虫器１００では、そのような塗膜を有する蛍光灯に代えて、ＬＥＤ素子を用いた光源２００を採用している。第１実施形態乃至第３実施形態に係る捕虫器１００に用いる光源２００を、以下で説明するＬＥＤ素子を用いた光源２００に代えることができる。
【００８６】
以下、このようなＬＥＤ素子を用いた光源２００について説明する。図８は本発明の第４実施形態に係る捕虫器１００に用いる光源２００の構成を説明する図である。また、図９は本発明の第４実施形態に係る光源２００の分光特性図である。
【００８７】
第４実施形態の光源２００は、ドーナツ状の環状基材４００と、この環状基材４００の外周縁に配される複数のＬＥＤ素子４１０と、環状基材４００と複数のＬＥＤ素子４１０とを包囲するように設けられる光拡散樹脂４３０と、を有している。光拡散樹脂４３０は、ＬＥＤ素子４１０で照射される指向性のある光を分散・拡散する略透明な光拡散手段である。このような光拡散手段としては、光拡散樹脂４３０に代えてガラス材料などを用いることもできる。
【００８８】
複数のＬＥＤ素子４１０には、放射波長が５４５ｎｍ付近に最大放射ピークを有するＬＥＤ素子、及び５７５ｎｍ付近に最大放射ピークを有するＬＥＤ素子の２種類のＬＥＤ素子が少なくとも含まれている。なお、本発明は、ＬＥＤ素子４１０として、５６０ｎｍ付近又は５６５ｎｍ付近に最大放射ピークを有する１種類のＬＥＤ素子を用いても実現し得ることを付言しておく。
【００８９】
図９は、上記のような２種類のＬＥＤ素子により構成された第４実施形態で用いられる光源２００の分光特性を示しており、光源２００全体としては５４５ｎｍ付近及び５７５ｎｍ付近に局所的なピークを有している。また、図９において、光源２００全体の５４５ｎｍ付近の放射強度をＡとし、５７５ｎｍ付近の放射強度をＢとしたとき、比率Ａ／Ｂが０．７＜Ａ／Ｂ＜１．７の関係を有するように、２種類のＬＥＤ素子を配するようにしている。
【００９０】
第４実施形態で示すように、１種類、或いは２種類以上のＬＥＤ素子を用いた光源２００により、白色の蛍光灯に塗膜を施した光源（第１実施形態のもの）を代替することも可能である。第４実施形態の光源２００を用いた捕虫器１００によれば、低消費電力・長寿命の光源２００を利用しつつ、先の効果を享受することが可能となる。
【００９１】
次に、本発明の他の実施形態について説明する。これまで説明してきた実施形態では、主要な光源としては放射波長が５４５ｎｍ付近、及び、５７５ｎｍ付近の２つに局所的な放射ピークを有するものを用いるようにしていた。このような２つに局所的な放射ピークを有するものを用いるのに代え、第５実施形態に係る捕虫器１００で用いる光源２００は、放射波長が５４５ｎｍ付近、及び、５７５ｎｍ付近（又は５８５ｎｍ付近）の平均の放射波長、すなわち、５６０ｎｍ付近又は５６５ｎｍ付近に最大放射ピークを有する光源を用いるようにしている。
【００９２】
より詳しくは、第５実施形態で用いる光源２００は、放射波長が４５０ｎｍ以上の長波長域で５６０ｎｍ付近又は５６５ｎｍ付近に最大放射ピークを有している。
【００９３】
図１０は本発明の第５実施形態に係る捕虫器１００に用いる光源２００の分光特性図である。このような分光特性を有する光を放射するものとしては、ＬＥＤ素子を挙げることができる。一方、５６０ｎｍ付近（又は５６５ｎｍ付近）に最大放射ピークを有する、このような分光特性を有する光を放射する蛍光灯は、蛍光灯の管内壁に塗布する蛍光体を適切に選定することで実現することが可能である。
【００９４】
このような５６０ｎｍ（又は５６５ｎｍ付近）に最大放射ピークを有する、第５実施形態の光源２００を用いることによっても、本発明に係る捕虫器１００を構成することが可能であり、このような捕虫器１００によっても、先の効果を享受することが可能となる。
【００９５】
次に、本発明の他の実施形態について説明する。図６で示した第３実施形態に係る捕虫器１００では、放射波長が５４５ｎｍ付近、及び、５７５ｎｍ付近の２つに局所的な放射ピークを有する主となる光源２００と、放射波長が５６５ｎｍ付近に最大放射ピークを有する補助光源２２０との２つの光源を用いるようにしていた。
【００９６】
一方、第６実施形態に係る捕虫器１００で用いる光源２００としては、放射波長が５４５ｎｍ付近、５６５ｎｍ付近、及び、５７５ｎｍ付近の３つに局所的な放射ピークを有するものを用いるようにする。
【００９７】
図１１は本発明の第６実施形態に捕虫器１００に用いる係る光源２００の分光特性図である。このような分光特性を示す光源２００は、放射波長が５４５ｎｍ付近に最大放射ピークを有するＬＥＤ素子、放射波長が５６５ｎｍ付近に最大放射ピークを有するＬＥＤ素子、及び５７５ｎｍ付近に最大放射ピークを有するＬＥＤ素子の３種類のＬＥＤ素子を組み合わせて構成することができる。
【００９８】
より詳しくは、第６実施形態で用いる光源２００は、放射波長が５００ｎｍ付近から６５０ｎｍ付近に３つの局所的な放射ピークを有するものである。さらに、３つの局所的な放射ピークは、５４５ｎｍ付近、５６５ｎｍ付近及び５７５ｎｍ付近にあり、５４５ｎｍ付近の放射強度をＡとし、５７５ｎｍ付近の放射強度をＢとしたとき、比率Ａ／Ｂが０．７＜Ａ／Ｂ＜１．７の関係を有するものである。
【００９９】
第６実施形態に係る光源２００としては、１．０＜Ａ／Ｂ＜１．５の関係を有することがより好ましい。さらに、第６実施形態に係る光源２００としては、１．１＜Ａ／Ｂ＜１．４の関係を有することがさらにより好ましい。
【０１００】
以上のような、放射波長が５４５ｎｍ付近、５６５ｎｍ付近、及び、５７５ｎｍ付近の３つに局所的な放射ピークを有する光源２００を用いた第６実施形態に係る捕虫器１００によれば、コナジラミ類、アザミウマ類、アブラムシ類（有翅）、ハモグリバエ類、ハエ類をより効率的に誘引することができる、という効果を有する。また、このような捕虫器１００によれば、低消費電力・長寿命の光源２００を利用しつつ、先の効果を享受することが可能となる。
【０１０１】
なお、第６実施形態に係る光源２００としては、３種類のＬＥＤ素子を組み合わせて構成する例で説明を行ったが、このような光源は、蛍光灯単体や塗膜を施した蛍光灯によっても実現することができる。
【０１０２】
以上、本発明に係る捕虫器は、コナジラミ類、アザミウマ類、アブラムシ類（有翅）、ハモグリバエ類、ハエ類などの対象害虫を、４５０ｎｍ以上の長波長域の光源、より詳細には、４５０ｎｍ以上の長波長域で５６０ｎｍ付近に最大放射ピークを有する光源で誘引し、捕虫する。さらに、本発明に係る捕虫器は、マンセル表色系で色相が１０ＹＲ〜１０Ｙの範囲内の同系色の塗膜を有するすり鉢状反射部を備えており、光源との相乗効果により、対象害虫を効率的に誘引することで、対象害虫の捕獲・駆除確率を向上し、農作物の生産量を増大させることができる。
【０１０３】
以下、本発明に用いる光源２００についてまとめる。図１２は本発明に係る捕虫器１００に用いる係る光源２００及び補助光源２２０の分光特性の模式図である。
【０１０４】
図１２（Ａ）乃至図１２（Ｅ）は光源２００に好ましい分光特性を示しており、図１２（Ｆ）は補助光源２２０に好ましい分光特性を示している。
【０１０５】
光源２００の図１２（Ａ）乃至図１２（Ｅ）に示す分光特性は蛍光灯とＬＥＤ素子の双方により実現することが可能である。一方、補助光源２２０の図１２（Ｆ）に示す分光特性は基本的にＬＥＤ素子により実現される。
【０１０６】
図１２（Ａ）は、４５０ｎｍ以上の長波長域で５６０ｎｍ（又は５６５ｎｍ付近）に最大放射ピークを有する分光特性である。虫に対して有効な走光性を生じさせる光は基本的には、５６０ｎｍ（又は５６５ｎｍ付近）に最大放射ピークを有するものである。
【０１０７】
図１２（Ｂ）は、５４５ｎｍ付近、及び、５７５ｎｍ付近（又は５８５ｎｍ付近）の２つに局所的な放射ピークを有する分光特性のパターンである。本パターンの場合、ピークである５４５ｎｍと、５７５ｎｍ（又は５８５ｎｍ）の算術平均が、５６０ｎｍ（又は５６５ｎｍ）となっており、このようなパターンの分光特性も、虫に対して有効な走光性を生じさせる。
【０１０８】
図１２（Ｃ）は、波長α[ｎｍ] 付近、及び、波長β[ｎｍ]付近の２つに局所的な放射ピークを有する分光特性のパターンである。ただし、（α＋β）／２＝５６０（又は５６５）を満たすα、βが選択される。このパターンでも、２つのピーク波長（α、β）の平均値が、５６０ｎｍ（又は５６５ｎｍ）となる。
【０１０９】
図１２（Ｄ）は、５４５ｎｍ付近、５６０ｎｍ付近（又は５６５ｎｍ付近）、及び、５７５ｎｍ付近（又は５８５ｎｍ付近）の３つに局所的な放射ピークを有する分光特性のパターンである。３つピークのうち、両脇のピーク波長の平均値は、５６０ｎｍ（又は５６５ｎｍ）となっている。
【０１１０】
図１２（Ｅ）は、波長α[ｎｍ] 付近、５６０ｎｍ付近（又は５６５ｎｍ付近）及び、波長β[ｎｍ]付近の３つに局所的な放射ピークを有する分光特性である。ただし、（α＋β）／２＝５６０（又は５６５）を満たすα、βが選択される。このパターンにおいても、２つのピーク波長（α、β）の平均値が、５６０ｎｍ（又は５６５ｎｍ）となる。
【０１１１】
図１２（Ｆ）は、５６０ｎｍ（又は５６５ｎｍ付近）に最大放射ピークを有する分光特性である。補助光源２２０の分光特性としても、５６０ｎｍ（又は５６５ｎｍ付近）に最大放射ピークを有することが、虫に対して有効な走光性を生じさせる上で重要である。
【符号の説明】
【０１１２】
１００・・・捕虫器
１１０・・・吊下線
１４０・・・メッシュ
１４５・・・穴部
１５０・・・円錐状部
１５１・・・固定金具
１６０・・・すり鉢状反射部
１７０・・・円筒部
１９０・・・ファン
２００・・・光源
２２０・・・補助光源
２２３・・・ＬＥＤ素子
２３０・・・光拡散樹脂（光拡散手段）
３１０・・・捕獲ネット
３３０・・・第１捕獲ネット
３４０・・・第２捕獲ネット
４００・・・環状基材
４１０・・・ＬＥＤ素子
４３０・・・光拡散樹脂（光拡散手段）
【図１】
2020195403.tif 000005
【図２】
2020195403.tif 000006
【図３】
2020195403.tif 000007
【図４】
2020195403.tif 000008
【図５】
2020195403.tif 000009
【図６】
2020195403.tif 000010
【図７】
2020195403.tif 000011
【図８】
2020195403.tif 000012
【図９】
2020195403.tif 000013
【図１０】
2020195403.tif 000014
【図１１】
2020195403.tif 000015
【図１２】
2020195403.tif 000016